(57)【要約】【課題】リードスクリューの振れを簡単かつ確実に防止することができるシートスライド装置を提供する。【解決手段】車体側に固定されるロアレール２と、ロアレールに沿って移動自在に取り付けられ、シートに固定されるアッパレール３と、アーマチュアを有したモータ４と、アーマチュア５に結合され、ギヤボックス８内で回転自在に支持されたウォームギヤ９と、ウォームギヤに噛合され、内周面に凸部３５が形成された円筒状のヘリカルギヤ３０と、アッパレールに平行に配置されると共に、一端側の軸部１０ａの先端側がヘリカルギヤの内周面の凸部３５にスプライン結合されたリードスクリュー１０と、ロアレールに固定されると共に、リードスクリューのねじ部１０ｄに螺合されたナット体１１と、を備えたシートスライド装置１において、ヘリカルギヤ３０の内周面３４に軸方向に延びてリードスクリュー１０に当接する複数の突起３６を所定距離隔てて設けた。【選択図】図１
2008149754.tif 000002
【特許請求の範囲】
【請求項１】
車体側に固定されるロアレールと、このロアレールに沿って移動自在に取り付けられ、シートに固定されるアッパレールと、正逆回転するアーマチュアを有したシートモータと、このシートモータのアーマチュアに結合され、ギヤボックス内で回転自在に支持されたウォームギヤと、このウォームギヤに噛合され、内周面に凸部が形成された円筒状のヘリカルギヤと、前記アッパレールに平行に配置されると共に、一端側の軸部の先端側が前記円筒状のヘリカルギヤの内周面の凸部にスプライン結合するリードスクリューと、前記ロアレールに固定されると共に、前記リードスクリューのねじ部に螺合されたナット体と、を備えたシートスライド装置において、前記円筒状のヘリカルギヤの内周面に軸方向に延びて前記リードスクリューに当接する複数の突起を所定距離隔ててそれぞれ設けたことを特徴とするシートスライド装置。
【請求項２】
請求項１記載のシートスライド装置であって、前記各突起は、前記円筒状のヘリカルギヤの内周面に一体形成された幅広の基部と、この基部の中央から一体形成された先の尖った先端部とを有することを特徴とするシートスライド装置。
【請求項３】
請求項１乃至２に記載のシートスライド装置であって、前記各突起は、前記ヘリカルギヤの内周面の前記リードスクリューの軸部の入り口側から前記凸部まで軸方向に延びることを特徴とするシートスライド装置。
【発明の詳細な説明】
【技術分野】
【０００１】
本発明は、例えば、自動車用のシートを自動的に移動させるシートスライド装置に関する。
【背景技術】
【０００２】
この種のシートスライド装置として、図７及び図８に示すものがある（例えば、特許文献１参照。）。
【０００３】
このシートスライド装置１は、図７及び図８に示すように、図示しない車体側に固定される左右一対のロアレール２，２と、この各ロアレール２に沿って移動自在に取り付けられ、図示しないシートに固定される左右一対のアッパレール３，３と、正逆回転するアーマチュア５を有したシートモータ４と、このシートモータ４のアーマチュア５のアーマチュア軸６の両端にその一端側は直接、他端側は棒状のケーブル７を介して結合されると共に、各ギヤボックス８内で回転自在に支持された一対のウォームギヤ９，９と、この各ウォームギヤ９に噛合され、各ギヤボックス８内に回転自在に支持された円筒状のヘリカルギヤ２０と、一対のアッパレール３，３に平行に配置されると共に、一端側の軸部１０ａの先端側の縦溝部１０ｂが円筒状のヘリカルギヤ２０の内周面２１の凸部（一部）２２にスプライン結合された左右一対のリードスクリュー１０，１０と、一対のロアレール２，２に固定されると共に、一対のリードスクリュー１０，１０の各ねじ部１０ｄに螺合されたナット体１１と、を備えている。
【０００４】
そして、例えば、シートモータ４のアーマチュア５が正回転すると、一対のリードスクリュー１０，１０が正回転することによって、各ロアレール２に固定されたナット体１１に螺合する該各リードスクリュー１０を介して各アッパレール３が後側に移動してシートが後退する。また、シートモータ４のアーマチュア５が逆回転すると、一対のリードスクリュー１０，１０が逆回転することによって、各ロアレール２に固定されたナット体１１に螺合する該各リードスクリュー１０を介して各アッパレール３が前側に移動してシートが前進するようになっている。
【０００５】
【特許文献１】特開平９−２０７６３１号公報
【発明の開示】
【発明が解決しようとする課題】
【０００６】
しかしながら、前記従来のシートスライド装置１では、リードスクリュー１０が長尺であるため、該リードスクリュー１０の一端側の軸部１０ａが円筒状のヘリカルギヤ２０の内周面２１とリードスクリュー１０の軸部１０ａの外周面との間のクリアランスにより振れることがあった。これにより、リードスクリュー１０の円滑な回転が得られず、シートモータ４の負荷の増加や異音・振動等が発生し易くなっていた。
【０００７】
そこで、本発明は、前記した課題を解決すべくなされたものであり、リードスクリューの一端側の振れを簡単かつ確実に防止することができるシートスライド装置を提供することを目的とする。
【課題を解決するための手段】
【０００８】
請求項１の発明は、車体側に固定されるロアレールと、このロアレールに沿って移動自在に取り付けられ、シートに固定されるアッパレールと、正逆回転するアーマチュアを有したシートモータと、このシートモータのアーマチュアに結合され、ギヤボックス内で回転自在に支持されたウォームギヤと、このウォームギヤに噛合され、内周面に凸部が形成された円筒状のヘリカルギヤと、前記アッパレールに平行に配置されると共に、一端側の軸部の先端側が前記円筒状のヘリカルギヤの内周面の凸部にスプライン結合するリードスクリューと、前記ロアレールに固定されると共に、前記リードスクリューのねじ部に螺合されたナット体と、を備えたシートスライド装置において、前記円筒状のヘリカルギヤの内周面に軸方向に延びて前記リードスクリューに当接する複数の突起を所定距離隔ててそれぞれ設けたことを特徴とする。
【０００９】
請求項２の発明は、請求項１記載のシートスライド装置であって、前記各突起は、前記円筒状のヘリカルギヤの内周面に一体形成された幅広の基部と、この基部の中央から一体形成された先の尖った先端部とを有することを特徴とする。
【００１０】
請求項３の発明は、請求項１乃至２に記載のシートスライド装置であって、前記各突起は、前記ヘリカルギヤの内周面の前記リードスクリューの軸部の入り口側から前記凸部まで軸方向に延びることを特徴とする。
【発明の効果】
【００１１】
以上説明したように、請求項１の発明によれば、円筒状のヘリカルギヤの内周面に複数の突起を所定距離隔ててそれぞれ設けたことにより、リードスクリューの一端側の振れを防止することができる。これにより、円滑なリードスクリューの回転を得ることができ、シートモータの負荷の増加や異音・振動等の発生を確実に防止することができる。
【００１２】
請求項２の発明によれば、各突起は、円筒状のヘリカルギヤの内周面に一体形成された幅広の基部と、この基部の中央から一体形成された先の尖った先端部とを有することにより、リードスクリューの一端側の振れを簡単かつ確実に防止することができる。
【００１３】
請求項３の発明によれば、円筒状のヘリカルギヤの内周面にリードスクリューの軸部の入り口側から凸部まで延びる複数の突起を形成したことにより、より確実にリードスクリューの一端側の振れを防止することができる。これにより、シートモータの負荷の増加や異音・振動等の発生をより確実に防止することができ、凸部と突起が連続して形成されているため、成形性が良いものとすることができる。そして、リードスクリューのスプライン部を逃げる構成になることで、挿入性を向上することができる。
【発明を実施するための最良の形態】
【００１４】
以下、本発明の一実施形態を図面に基づいて説明する。
【００１５】
図１は本発明の一実施形態のシートスライド装置のリードスクリュー周辺の部分断面図、図２は同シートスライド装置に用いられるヘリカルギヤの断面図、図３は同ヘリカルギヤの側面図、図４は同ヘリカルギヤの内周面に設けられた突起の拡大側面図、図５は同突起の拡大側面図、図６は同突起のテーパ形状を示す要部の拡大断面図である。尚、図７に示すシートスライド装置の全体概要図は援用する。
【００１６】
図１及び図７に示すように、シートスライド装置１は、図示しない車体側に固定される左右一対のロアレール２，２と、この各ロアレール２に沿って移動自在に取り付けられ、図示しないシートに固定される左右一対のアッパレール３，３と、正逆回転するアーマチュア５を有したシートモータ４と、このシートモータ４のアーマチュア５のアーマチュア軸６の両端にその一端側は直接、他端側は棒状のケーブル７を介して結合されると共に、各ギヤボックス８内で回転自在に支持された一対のウォームギヤ９，９と、この各ウォームギヤ９に噛合され、各ギヤボックス８内に回転自在に支持された合成樹脂製で円筒状のヘリカルギヤ３０と、一対のアッパレール３，３に平行に配置されると共に、一端側の軸部１０ａの先端側の縦溝部１０ｂが円筒状のヘリカルギヤ３０の内周面３４の凸部３５にスプライン結合された左右一対のリードスクリュー１０，１０と、一対のロアレール２，２に固定されると共に、一対のリードスクリュー１０，１０の各ねじ部１０ｄに螺合されたナット体１１と、を備えている。
【００１７】
図１に示すように、ウォームギヤ９と円筒状のヘリカルギヤ３０はギヤボックス８内の中央において交差するように配置されていると共に、該円筒状のヘリカルギヤ３０はギヤボックス８内において一対の軸受１２，１２を介して回転自在に支持されている。また、リードスクリュー１０の軸部１０ａには、その両側の段差部に介在された一対の平座金１３，１３間で挾持するように円筒状のヘリカルギヤ３０を嵌合してある。この円筒状のヘリカルギヤ３０は、リードスクリュー１０の一端に形成されたねじ部１０ｃに螺合するナット１４により抜け止めされている。
【００１８】
図１及び図２に示すように、ヘリカルギヤ３０は合成樹脂により円筒状に形成されたギヤ本体３１を有している。図１〜図３に示すように、円筒状のギヤ本体３１の外周面３２の中央には、ウォームギヤ９に噛合する歯部３３を形成してある。また、円筒状のギヤ本体３１の内周面３４のリードスクリュー１０の軸部１０ａの入り口側の反対側には、リードスクリュー１０の軸部１０ａの先端側の縦溝部１０ｂにスプライン結合される凸部３５を形成してある。さらに、円筒状のギヤ本体３１の内周面３４のリードスクリュー１０の軸部１０ａの入り口側には、突起３６を９０°の等間隔毎に４箇所それぞれ一体突出形成してある。図４及び図５に示すように、各突起３６は、円筒状のギヤ本体３１の内周面３４に一体形成された幅広の基部３６ａと、この基部３６ａの中央から一体形成された先の尖った先端部３６ｂとを有している。また、図２に示すように、各突起３６は、ヘリカルギヤ３０の内周面３４のリードスクリュー１０の軸部１０ａの入り口側から凸部３５まで軸方向に延びている。さらに、図６に示すように、円筒状のギヤ本体３１の内周面３４のリードスクリュー１０の軸部１０ａの入り口側の各突起３６の端部には、テーパ部３６ｃを形成してある。  
【００１９】
以上実施形態のシートスライド装置１によれば、シートモータ４のアーマチュア５が正回転すると、一対のリードスクリュー１０，１０が正回転することによって、各ロアレール２に固定されたナット体１１に螺合する該各リードスクリュー１０を介して各アッパレール３が後側に移動してシートが後退する。また、シートモータ４のアーマチュア５が逆回転すると、一対のリードスクリュー１０，１０が逆回転することによって、各ロアレール２に固定されたナット体１１に螺合する該各リードスクリュー１０を介して各アッパレール３が前側に移動してシートが前進する。
【００２０】
このリードスクリュー１０が回転する際に、円筒状のヘリカルギヤ３０の内周面３４には突起３６が９０°の等間隔毎に４箇所それぞれ突設されているので、該各突起３６にリードスクリュー１０の軸部１０ａの外周面が当接するため、リードスクリュー１０の一端側の軸部１０ａの振れを確実に防止することができる。これにより、円滑なリードスクリュー１０の回転を得ることができ、シートモータ４の負荷の増加や異音・振動等の発生を防止することができる。
【００２１】
また、図４及び図５に示すように、各突起３６を、円筒状のヘリカルギヤ３０の内周面３４に一体突出形成された幅広の基部３６ａと、この基部３６ａの中央から一体突出形成された先の尖った先端部３６ｂとで構成し、かつ、図６に示すように、円筒状のヘリカルギヤ３０の内周面３４のリードスクリュー１０の軸部１０ａの入り口側の各突起３６の端部にテーパ部３６ｃを形成したことにより、円筒状のヘリカルギヤ３０の内周面３４内にリードスクリュー１０の軸部１０ａを挿入する際に、各突起３６が抵抗になることなく該リードスクリュー１０を挿入して位置決めすることができ、さらに、各突起３６の先の尖った先端部３６ｂが潰れても基部３６ａが剛性を有することから、リードスクリュー１０の一端側の軸部１０ａの振れを簡単かつ確実に防止することができる。
【００２２】
さらに、図２に示すように、各突起３６は、ヘリカルギヤ３０の内周面３４のリードスクリュー１０の軸部１０ａの入り口側から凸部３５まで軸方向に延びて形成されていることにより、より確実にリードスクリュー１０の一端側の軸部１０ａの振れを防止することができる。これにより、シートモータ４の負荷の増加や異音・振動等の発生をより確実に防止することができる。また、凸部３５と各突起３６が連続して形成されているため、成形性が良いものとすることができる。
【００２３】
尚、前記実施形態によれば、円筒状のヘリカルギヤの内周面に突起を９０°の等間隔毎に４箇所それぞれ突設したが、突起を１２０°の等間隔毎に３箇所それぞれ突設したり、７２°の等間隔毎に５箇所以上突設しても良いことは勿論である。
【図面の簡単な説明】
【００２４】
【図１】本発明の一実施形態のシートスライド装置のリードスクリュー周辺の部分断面図である。
【図２】上記シートスライド装置に用いられるヘリカルギヤの断面図である。
【図３】上記ヘリカルギヤの側面図である。
【図４】上記ヘリカルギヤの内周面に設けられた突起の拡大側面図である。
【図５】上記突起の拡大側面図である。
【図６】上記突起のテーパ形状を示す要部の拡大断面図である。
【図７】シートスライド装置の全体概要図である。
【図８】従来のシートスライド装置のリードスクリュー周辺の部分断面図である。
【符号の説明】
【００２５】
１  シートスライド装置
２  ロアレール
３  アッパレール
４  シートモータ
５  アーマチュア
８  ギヤボックス
９  ウォームギヤ
１０  リードスクリュー
１０ｄ  ねじ部
１１  ナット体
３０  円筒状のヘリカルギヤ
３４  内周面
３５  凸部
３６  突起
３６ａ  幅広の基部
３６ｂ  先の尖った先端部
【図１】
2008149754.tif 000003
【図２】
2008149754.tif 000004
【図３】
2008149754.tif 000005
【図４】
2008149754.tif 000006
【図５】
2008149754.tif 000007
【図６】
2008149754.tif 000008
【図７】
2008149754.tif 000009
【図８】
2008149754.tif 000010